(57)【要約】      （修正有）【課題】交通や歩道遊具に安全で安心なスケータのための板バネ式ブレーキ装置構造を提供する。【解決手段】スケーター本体１の後輪軸に装着した、板バネ式ブレーキ装置に仕組まれた踏みボード２に片足を乗せると、ボード裏に固定した板バネ７と接合するブレーキ板８を下方に押し下げ、ローラーと一体の軸６に接触して回転を止めていたブレーキ板の先端が、ローラーと一体の軸から遊離する事で、回転停止の働きを解かれたローラー４は自由に回転し、停止の時は踏みボード２から足を降ろすと、圧縮されていた板バネ７は復元して、ローラーと一体の回転軸６にブレーキ板の先端が接触して、回転を停止させる。【選択図】図１
0003195153.tif 000002
【実用新案登録請求の範囲】
【請求項１】
スケーター本体（１）の後輪軸に装着した、板バネ式ブレーキ装置に仕組まれた踏みボード（２）に片足を乗せると、ボード裏に固定した板バネ（７）と接合するブレーキ板（８）を下方に押し下げ、ローラーと一体の軸（６）に接触して回転を止めていたブレーキ板の先端が、ローラーと一体の軸から遊離する事で、回転停止の働きを解かれたローラー（４）は自由に回転し、停止の時は踏みボード（２）から足を降ろすと、圧縮されていた板バネ（７）は復元して、ローラーと一体の回転軸（６）にブレー板の先端が接触して、回転を停止させる事を特徴とする板バネ式ブレーキ装置構造。
【考案の詳細な説明】
【技術分野】
【０００１】  本考案はスケータ停止のブレーキ装置構造に関する。
【背景技術】
【０００２】  路上を滑走するスケータには、ローラースケートやスケートボード等があるが何れもブレーキ装置がなく、乗り慣れない者に転倒やスケートボードの暴走を見る事がある。【０００３】  バスケットシューズのような、ゴム底の厚い靴の左右の「かかと」の下の部分に、ゴム製ロールを、各２個取付けた靴が某靴メーカーで開発されたが、加速制御のブレーキ装置はなく、靴先の底で地面を磨って止まる構造となっていて磨滅が早く、耐久性に優れたものではない。【０００４】  小学低学年がバスケットシューズのようなローラー付きの靴を履いて、路面の試走ではスピードに慣れるまでに幾度もお尻を着いて、瞬時の判断に遅れる子供に親の心配は絶えない。【０００５】  市販のスケートボードは、広場や公園、歩道等での遊びに使用されているが、ブレーキ装置の取り付けがなく、人との対面通行時は滑走を一時止めているが、足の誤操作でスケートボードの暴走を見受ける事がある。【０００６】  ローラースケートには、左右の靴に各五個のローラーが縦一列に取付けられたものと、ローラー支持フレームの前後に各２個取付けられて、バンドで靴に取り付けるものとがあり、緩みのある後者は凸凹道にテクニックを要して、不慣な者に安全とは言えない。【０００７】  ローラースケートは、片側に５個のローラーが縦一列にフレームに装着されて、全長は靴より長く、下駄より高く高所感もあって、履き慣れるまでは安全な滑走は難しい。【０００８】  自転車大国のオランダでは、インフラ整備が施されて、道路は車道、輪道、歩道に区分されて、自転車は通勤や通学、買い物にも安全に安心な乗り物として使用され、独創的な自転車やウバ車が世界の情報で放映された。【０００９】  自転車大国のオランダでは、自転車に代わる履物大のスケータに片足を乗せて滑走し、市電停留所でスケータを手提げバックに収納の場面を見たが、ブレーキ装置はなかった。【００１０】  日本では種々の自転車やスケータが開発されるが、手提げバックに入れて持ち歩く軽量でコンパクトなスケータは見受けない。【００１１】  オランダでは電車内へ自転車の持ち込みが見られるが、日本では車内の混雑から持ち込む者は少ない。【００１２】  中国の日系企業の勤務では、自転車通勤の多い社員の中に、混雑する２輪道を避けて、ローラースケートで通勤する社員もいた。【００１３】  日本でも最近は、自転車で通勤する者が増えて、ブレーキ装置のない自転車で歩道を暴走して、人身事故を引き起すなどマナーの悪さが報じられる。【００１４】  健康思考から脚力を鍛えるスポーツも盛んになり、ツール・ド・フランスではアルプス越えに３７００キロの自転車競技等、自転車を使った競技も増えて、マウンテン自転車も出現し、個人で自転車を創造する自転車店も出現して、起業が容易な時代となった。【００１５】  戦後に、雪国では下駄スケートや竹スキーが流行して、通学時に使用するなど、手作りで楽しんだ者は多い。しかし、現世では贅沢な運動用具が開発されて、その多くが姿を消し、手作りを楽しむ子供も見られなくなった。【００１６】  市販では色々なスケーターを見受けるが、両足を乗せるタイプのスケータで、ブレーキ制御もなく競技者以外は、安全に安心な乗り物とは言えない。【００１７】  健康思考で大切な事は、普段の生活の中で体を鍛える事であって、高価な運動用具を購入せずとも、鍛え方はいろいろとある。【００１８】  自転車での通勤や通学に、自転車を有料の駐輪場に預けて職場や学校へ急ぐ者と、指定された場所以外に乗り捨てする者もいる。【００１９】  自転車盗難保険に５００円で加入して、スーパーや駅、公共の駐輪場に放置して、盗難の手続で新車を手にする者も少なくない。【００２０】  大手スーパーや公共の駐輪場に放置された自転車の処置に、困惑する関係者は多く、警察も捜査願いのあったモノに発見に努めて、放置される自転車は多い。
【考案の概要】
【考案が解決しようとする課題】
【００２１】  交通や歩道遊具に安全で安心なスケータを考案する。【００２２】  通勤や通学に便利なスケータを考案する。【００２３】  盗難保険や預り所不要のスケータを考案する。【００２４】  タイヤパンクや故障修理を必要としないスケータを考案する。【００２５】  健康思考に遊びや仕事に健康的要素を取り入れた運動用具を考案する。【００２６】  コストに配慮した簡素で軽量で堅牢なスケータを考案する。【００２７】  手提げカバンやバックに収納可能なスケータを考案する。【００２８】  子供から大人まで家族で楽しめる快適なスケータを考案する。【００２９】  体重や年齢、足のサイズに区分したスケータを考案する。【００３０】  公共の駐輪場や街中での自転車の無断放置の問題を解消する。
【課題を解決するための手段】
【００３１】  片足乗りスケータは、残る片足での走行速度のコントロールを容易な乗物とする。【００３２】  片足乗りスケータは、暴走防止に安全なブレーキ装置を取り付ける。【００３３】  片足乗りスケータは、凹凸道での衝撃に強く軽い合板を使用する。【００３４】  片足乗りスケータは、軽量化に各人の履く靴のサイズに区分する。【００３５】  片足乗りスケータは、軽い助走にローラーに潤滑部品を使用する。【００３６】  片足乗りスケータは、通勤、通学に便利な手提げバック収納タイプとする。【００３７】  片足乗りスケータは、家族の健康に運動用具の要素を取り入れる。【００３８】  片足乗りスケータは部品交換にとどめて家計負担の少ないものとする。
【考案の効果】
【００３９】  本考案品は、預料、盗難保険、パンク修理を必要とせず家計を助ける。【００４０】  本考案品は、ローラースケートに比べて、高度な走行技術を必要とせず、危機に瞬時の判断に遅れても、乗る足を外せばブレーキが作動して止まり、暴走を許さず見守る親に心配はない。【００４１】  本考案品は、自転車程の速さはないが、左右交互に乗る事で健康に全身運動となる。【００４２】  本考案品は、軽量で堅牢であり、通勤通学のカバンや買い物袋に収納して便利である。【００４３】  本考案品は、ローラースケートやスケートボードに比べて廉価であり、ローラーの交換も容易に出来て経済的である。【００４４】  本考案品は、ローラーの回転に負荷の少ない潤滑部品を使用して、助走に費やすエネルギーは少ない。【００４５】  本考案品を下りの坂道で使用すれば、軽快に滑走して徒歩での時間を短縮し、寒い冬や暑い夏の季節に適性な乗物である。【００４６】  欧米では、子供とのコミュニケーションに、休日には親子でローラースケートを楽しむ光景をテレビ番組で見るが、インフラ整備に不十分な日本でも公園や広場に、旅行先での観光を楽しむ事が出来る。【００４７】  本考案品を散歩に使用すれば、距離を長くして新発見を楽しむ事が出来る事から、さらに距離を延ばす事になる。【００４８】  本考案品を愛用して常時使用する事で、高齢者は衰退する平衡感覚の維持と介護防止に、子供は危機での瞬時の判断能力を高めて俊敏な行動をとり、幼児にはそれらを育む遊具となり肥満を予防する。
【考案を実施するための形態】
【００４９】  スケータには、ローラースケート、スケートボードなど各種あるが、いずれもブレーキ装置がなく、路上での子供の遊びには安全と安心に保護者の心配があり、最寄りの駅からの通勤や通学に自転車を使用する場合には、交通事故に備えた保険に、有料の一時預り所に預ける費用は家計の負担となり、片足乗りのスケータはそれらの問題を解決して、電車やバスに乗車の際は手提げのバックやカバンに収納して便利なスケータとする。
【００５０】  公共施設の広場には、自転車の乗り入れを禁ずるところもあるが、片足乗りのスケータには規制がなく、家族で楽しむ事も出来て健康の維持向上に最適な乗物の一つとする。
【実施例１】
【００５１】  片足乗りスケータのブレーキ装置に、圧縮の板バネを使用して、片足乗りスケータに乗った時に、後車のローラー軸に接続したブレーキ装置が開く作動をして滑走し、降りた時にブレーキ装置が閉じて暴走を許さない。
【実施例２】
【００５２】  片足乗りスケータにセットするローラーは、路面に接する先端がＶ字形の場合は、Ｕ字形に比べて回転が速く、又、硬質ゴムを使用した場合は、軟弱ゴム比べて回転は速く、重量級の体重には加速して幅広ローラーの使用が好ましく、使用する者に適したローラーの選択は大事である。
【実施例３】
【００５３】  幼児対象の片足乗りスケータは、安全を第一に軽量にして、スピードを抑制したタイプが好ましく、使用するローラーは柔軟で幅が広く、ローラー外径の小さなタイプが安全性が高く、発育に合わせてローラーの交換ができる。
【実施例４】
【００５４】  下り坂の乗車では軽快に滑走して、乗り慣れた者には目的地までの徒歩時間を大幅に短縮して、急ぐ御用や、寒い冬や暑い夏の季節の使用には便利な乗り物である。
【産業上の利用の可能性】
【００５５】  日本の総人口は減少の傾向にあるが自転車を持つ家庭は多い。現在では車社会と言われて、自家用車を持つ家庭も少なくない。しかし、バブル経済の崩壊にリーマンショックも重なって、日本の企業の多くが規模縮小による人員整理、人材派遣等のサービス産業の台頭に、人間社会も大きく変化して、その対応に正社員の採用を控える企業も増えて、給与の格差に低賃金を余儀なくされ、家計での出費抑制から車離れの現象に、ガソリンスタンドの廃業も見られ、年々上昇するガソリンの価格に車離れは加速する。
バブル時代は、人材確保に遠方からの採用に企業も多額の交通費を支給したが、バブル崩壊後は制約されて、家計の足しにした節約費も消えて苦境にあえぐ者もいる。
バブル時は、使い捨ての経済を称賛した経済学者もいたが、現世は資源再生に創造する時代を迎えて、万物を無駄にしない創意と工夫に新たな時代を迎えたと言える。
一つの商品が果たす使命は、創造する者によって異なるが、既存商品を変える工夫も大切である。本考案品は、交通安全、健康維持向上、経費節減、生活安定、健全娯楽、一家団欒等を生活理念に考案された乗物であり社会普及に提供したい。
人口減少に増える高齢者、減る子供に体力衰退の傾向現象が見られ、遊びに体力なく、危機に瞬時の判断力も衰えて事故に遭う児童は多い。２００９年以降にペダル無し、ブレーキ無しの危険な二輪遊具の出現に、坂道での事故の多発が消費者庁の生活センターで明かされた。本考案品はそれらの問題と向き合い，ＱｕａｌｉｔｙＣｏｎｔｒｏｌとｖａｌｕｅａｎａｌｙｓｉｓ手法で現実の中に真実を追究して原理原則の確認では、企業成長のエゴが優先されて、児童や一般消費者の声が反映されない乗り物は多く、この問題解決に考案して、比較法による消費者調査では体育系の児童、学生に良い結果を得る事ができた。
増える子供の遊具事故防止と、体力衰退予防に、遊具・健康用具・運動用品メーカーに、問題解決の取組が期待されており、安全性と医学的裏付けを行い、消費者にＰＲして、新市場開発に努める事で業績向上に貢献する事が出来る。考案品は健康用具であり、交通に便利な乗り物でもあり、おもちゃの乗り物でもある。シューズカーの名称では、スポーツ用品店、玩具店、履物店、自転車販売店等での部品と商品販売に適して、片足乗りスケータの販路は広くオランダ国や中国の使用例に倣い世界に共通する商品に、産業界での拡販に期待したい。
【図面の簡単な説明】
【００５６】
【図１】請求項１記載の板バネ式ブレーキ装置の実施状況を示す図面の説明である。（１）ローラーフレーム後部平面図Ａ−Ａ´部分の断面図である  （２）ローラースケータ後部から見た縦方向の面図である  （３）ローラー支持フレーム後部の平面図である。
【図２】本考案片足乗りスケータに共通する全体図である。（１）側面図  （２）平面図
【符号の説明】
【００５７】１  ボード前部
２  踏みボード（ボード後部）
３  前部ローラー
４  後部ローラー
５  ローラー支持フレーム
６  ローラー軸
７  踏みボード上下作用板バネ
８  後輪軸ブレーキ作動板
９  爪先滑り止
【図１】
0003195153.tif 000003
【図２】
0003195153.tif 000004